(57)【要約】【課題】患者に関する患者関連情報が表示される表示枠の幅が変更されても、情報量をできるだけ維持しつつ、ユーザーに適した表示を提供する。【解決手段】患者に関する複数の項目の患者関連情報を表示枠内に表示する情報表示装置において、複数の項目のそれぞれは、複数の種別に分類されており、表示枠の幅に応じて、種別毎に、当該種別に属する各項目の表示態様を決定し、決定された表示態様で患者関連情報を表示枠内に表示させる。表示枠の幅の変更に伴う各項目の表示態様の変え方が、テキスト領域４１、ステータス領域４２、画像領域４３の領域毎に異なる。【選択図】図３
2018092419.tif 000002
【特許請求の範囲】
【請求項１】
患者に関する複数の項目の患者関連情報を表示枠内に表示する情報表示装置であって、
前記複数の項目のそれぞれは、複数の種別に分類されており、
前記表示枠の幅を認識する認識手段と、
前記表示枠の幅に応じて、前記種別毎に、当該種別に属する各項目の表示態様を決定する決定手段と、
前記決定された表示態様で前記患者関連情報を前記表示枠内に表示させる表示制御手段と、
を備える情報表示装置。
【請求項２】
前記決定手段は、前記複数の種別のうち、テキスト情報が含まれる第１種別について、前記表示枠の幅に応じて、前記患者関連情報のレイアウトを単数段表示と複数段表示とで切り替える請求項１に記載の情報表示装置。
【請求項３】
前記第１種別に属する複数の項目同士が予めグループとして設定されており、
前記決定手段は、前記表示枠の幅が所定の幅より小さくなった場合に、前記第１種別に属する項目のうち、同一グループの項目同士を単数段表示から複数段表示に切り替える請求項２に記載の情報表示装置。
【請求項４】
前記決定手段は、前記複数の種別のうち、複数の状態のいずれかを示すステータス情報が含まれる第２種別について、前記表示枠の幅に応じて、前記患者関連情報の表示態様を、前記ステータス情報が示す状態に対応するアイコン表示と、前記ステータス情報が示す状態が時系列順で何番目かを示す表示と、で切り替える請求項１から３のいずれか一項に記載の情報表示装置。
【請求項５】
前記決定手段は、前記複数の種別のうち、前記患者を撮影して得られた医用画像が含まれる第３種別について、前記表示枠の幅に応じて、前記医用画像の表示数又は前記医用画像の種類を変更する請求項１から４のいずれか一項に記載の情報表示装置。
【請求項６】
前記第３種別には、さらに、画像付帯情報が含まれ、
前記決定手段は、前記表示枠の幅に応じて、前記画像付帯情報の詳細度を変更する請求項５に記載の情報表示装置。
【請求項７】
前記決定手段は、前記表示枠の高さを維持する請求項１から６のいずれか一項に記載の情報表示装置。
【請求項８】
前記決定手段は、前記複数の種別に対して予め設定されている優先順位に従って、前記各項目の表示態様を決定する請求項１から７のいずれか一項に記載の情報表示装置。
【請求項９】
ユーザーによる操作入力を受け付ける操作手段を備え、
前記決定手段は、前記操作入力に応じて、予め設定されているレイアウト情報に基づいて、前記各項目の表示態様を決定する請求項１から８のいずれか一項に記載の情報表示装置。
【請求項１０】
患者に関する複数の項目の患者関連情報を表示枠内に表示する情報表示装置における情報表示方法であって、
前記複数の項目のそれぞれは、複数の種別に分類されており、
前記表示枠の幅を認識する認識工程と、
前記表示枠の幅に応じて、前記種別毎に、当該種別に属する各項目の表示態様を決定する決定工程と、
前記決定された表示態様で前記患者関連情報を前記表示枠内に表示させる表示制御工程と、
を含む情報表示方法。
【請求項１１】
患者に関する複数の項目の患者関連情報を表示枠内に表示する情報表示装置を制御するためのプログラムを記録したコンピューター読み取り可能な記録媒体であって、
前記複数の項目のそれぞれは、複数の種別に分類されており、
前記情報表示装置を、
前記表示枠の幅を認識する認識手段、
前記表示枠の幅に応じて、前記種別毎に、当該種別に属する各項目の表示態様を決定する決定手段、
前記決定された表示態様で前記患者関連情報を前記表示枠内に表示させる表示制御手段、
として機能させるためのプログラムを記録したコンピューター読み取り可能な記録媒体。
【発明の詳細な説明】
【技術分野】
【０００１】
本発明は、情報表示装置、情報表示方法及び記録媒体に関する。
【背景技術】
【０００２】
近年、医療分野においても情報の電子化が進み、カルテ情報や検査画像等の医療情報が電子データとして管理されている。医療施設では、表示画面上に診察対象となる患者や、検査画像の読影対象となる患者をリスト形式で表示し、患者リストの中から目的の患者を選択している。具体的には、各患者の患者に関する情報を１レコードとして、患者ＩＤ、患者氏名、生年月日等の項目毎に表示する。
【０００３】
例えば、表示画面内に表形式に並べられた複数の表示枠に複数の情報を表示する情報表示方法において、選択された表示枠を拡大すると、選択されなかった表示枠は拡大された表示枠の倍率に従って縮小され、各表示枠のサイズに従って、各表示枠に表示される情報の候補の表示優先順位及び表示文字サイズを判定して情報表示を行う技術が提案されている（特許文献１参照）。
【先行技術文献】
【特許文献】
【０００４】
【特許文献１】国際公開第２００９／００４６９２号
【発明の概要】
【発明が解決しようとする課題】
【０００５】
しかしながら、ディスプレイの解像度の違いや、ブラウザー等における画面サイズの変更操作により、リスト画面において表示可能な情報が変わってしまう場合がある。例えば、リスト画面内のレイアウトが崩れてしまったり、画面サイズを変えることでユーザーが最も確認したい項目が意図せず非表示になったりする。そのため、異なる解像度のディスプレイで表示する場合や、画面サイズを拡大・縮小した場合、ユーザーは、リスト画面の項目の表示・非表示を変更する等、手間がかかり、使い勝手が良くなかった。
【０００６】
本発明は、上記の従来技術における問題に鑑みてなされたものであって、患者に関する患者関連情報が表示される表示枠の幅が変更されても、情報量をできるだけ維持しつつ、ユーザーに適した表示を提供することを課題とする。
【課題を解決するための手段】
【０００７】
上記課題を解決するために、請求項１に記載の発明は、患者に関する複数の項目の患者関連情報を表示枠内に表示する情報表示装置であって、前記複数の項目のそれぞれは、複数の種別に分類されており、前記表示枠の幅を認識する認識手段と、前記表示枠の幅に応じて、前記種別毎に、当該種別に属する各項目の表示態様を決定する決定手段と、前記決定された表示態様で前記患者関連情報を前記表示枠内に表示させる表示制御手段と、を備える。
【０００８】
請求項２に記載の発明は、請求項１に記載の情報表示装置において、前記決定手段は、前記複数の種別のうち、テキスト情報が含まれる第１種別について、前記表示枠の幅に応じて、前記患者関連情報のレイアウトを単数段表示と複数段表示とで切り替える。
【０００９】
請求項３に記載の発明は、請求項２に記載の情報表示装置において、前記第１種別に属する複数の項目同士が予めグループとして設定されており、前記決定手段は、前記表示枠の幅が所定の幅より小さくなった場合に、前記第１種別に属する項目のうち、同一グループの項目同士を単数段表示から複数段表示に切り替える。
【００１０】
請求項４に記載の発明は、請求項１から３のいずれか一項に記載の情報表示装置において、前記決定手段は、前記複数の種別のうち、複数の状態のいずれかを示すステータス情報が含まれる第２種別について、前記表示枠の幅に応じて、前記患者関連情報の表示態様を、前記ステータス情報が示す状態に対応するアイコン表示と、前記ステータス情報が示す状態が時系列順で何番目かを示す表示と、で切り替える。
【００１１】
請求項５に記載の発明は、請求項１から４のいずれか一項に記載の情報表示装置において、前記決定手段は、前記複数の種別のうち、前記患者を撮影して得られた医用画像が含まれる第３種別について、前記表示枠の幅に応じて、前記医用画像の表示数又は前記医用画像の種類を変更する。
【００１２】
請求項６に記載の発明は、請求項５に記載の情報表示装置において、前記第３種別には、さらに、画像付帯情報が含まれ、前記決定手段は、前記表示枠の幅に応じて、前記画像付帯情報の詳細度を変更する。
【００１３】
請求項７に記載の発明は、請求項１から６のいずれか一項に記載の情報表示装置において、前記決定手段は、前記表示枠の高さを維持する。
【００１４】
請求項８に記載の発明は、請求項１から７のいずれか一項に記載の情報表示装置において、前記決定手段は、前記複数の種別に対して予め設定されている優先順位に従って、前記各項目の表示態様を決定する。
【００１５】
請求項９に記載の発明は、請求項１から８のいずれか一項に記載の情報表示装置において、ユーザーによる操作入力を受け付ける操作手段を備え、前記決定手段は、前記操作入力に応じて、予め設定されているレイアウト情報に基づいて、前記各項目の表示態様を決定する。
【００１６】
請求項１０に記載の発明は、患者に関する複数の項目の患者関連情報を表示枠内に表示する情報表示装置における情報表示方法であって、前記複数の項目のそれぞれは、複数の種別に分類されており、前記表示枠の幅を認識する認識工程と、前記表示枠の幅に応じて、前記種別毎に、当該種別に属する各項目の表示態様を決定する決定工程と、前記決定された表示態様で前記患者関連情報を前記表示枠内に表示させる表示制御工程と、を含む。
【００１７】
請求項１１に記載の発明は、患者に関する複数の項目の患者関連情報を表示枠内に表示する情報表示装置を制御するためのプログラムを記録したコンピューター読み取り可能な記録媒体であって、前記複数の項目のそれぞれは、複数の種別に分類されており、前記情報表示装置を、前記表示枠の幅を認識する認識手段、前記表示枠の幅に応じて、前記種別毎に、当該種別に属する各項目の表示態様を決定する決定手段、前記決定された表示態様で前記患者関連情報を前記表示枠内に表示させる表示制御手段、として機能させるためのプログラムを記録したコンピューター読み取り可能な記録媒体である。
【発明の効果】
【００１８】
本発明によれば、患者に関する患者関連情報が表示される表示枠の幅が変更されても、情報量をできるだけ維持しつつ、ユーザーに適した表示を提供することができる。
【図面の簡単な説明】
【００１９】
【図１】本発明の第１の実施の形態における医療情報管理システムのシステム構成図である。
【図２】リスト画面の例である。
【図３】リスト画面内の患者一人分の表示枠を示す図である。
【図４】テキスト領域における各項目の表示態様の変化を説明するための図である。
【図５】ステータス情報が示す状態に対応する大アイコン及び小アイコンを示す図である。
【図６】画像領域における各項目の表示態様の変化を説明するための図である。
【図７】画面幅縮小処理を示すフローチャートである。
【図８】画面幅拡大処理を示すフローチャートである。
【図９】本発明の第２の実施の形態におけるリスト画面の例である。
【図１０】「レイアウト１」を選択した場合のリスト画面の例である。
【図１１】「レイアウト２」を選択した場合のリスト画面の例である。
【発明を実施するための形態】
【００２０】
［第１の実施の形態］
まず、本発明の第１の実施の形態について説明する。なお、本発明は、図示例に限定されるものではない。
【００２１】
図１に、医療情報管理システム１００の構成を示す。
図１に示すように、医療情報管理システム１００は、データ管理サーバー１０と、情報表示装置としてのクライアント装置２０と、から構成され、各装置は、ＬＡＮ（Local Area Network）やＷＡＮ（Wide Area Network）等の通信回線からなる通信ネットワークＮを介してデータ送受信可能に接続されている。なお、クライアント装置２０の台数は、特に限定されない。
【００２２】
データ管理サーバー１０は、医療施設において生成された医療情報を蓄積し、管理する。データ管理サーバー１０は、外部機器からの医療情報の取得要求に応じて、要求された医療情報を当該外部機器に提供する。医療情報には、患者に関する患者関連情報が含まれる。
【００２３】
データ管理サーバー１０は、ＣＰＵ（Central Processing Unit）１１、操作部１２、表示部１３、通信部１４、ＲＯＭ（Read Only Memory）１５、ＲＡＭ（Random Access Memory）１６、記憶部１７等を備えて構成され、各部はバス１８により接続されている。
【００２４】
ＣＰＵ１１は、データ管理サーバー１０の各部の処理動作を統括的に制御する。具体的には、ＣＰＵ１１は、操作部１２から入力される操作信号又は通信部１４により受信される指示信号に応じて、ＲＯＭ１５に記憶されている各種処理プログラムを読み出してＲＡＭ１６に展開し、当該プログラムとの協働により各種処理を行う。
【００２５】
操作部１２は、カーソルキー、文字入力キー、及び各種機能キー等を備えたキーボードと、マウス等のポインティングデバイスを備えて構成され、キーボードに対するキー操作やマウス操作により入力された指示信号をＣＰＵ１１に出力する。
【００２６】
表示部１３は、ＬＣＤ（Liquid Crystal Display）等のモニターにより構成され、ＣＰＵ１１から入力される表示信号の指示に従って、各種画面等を表示する。
【００２７】
通信部１４は、ネットワークインターフェース等により構成され、通信ネットワークＮを介して接続された外部機器との間でデータの送受信を行う。
【００２８】
ＲＯＭ１５は、不揮発性の半導体メモリー等により構成され、制御プログラム、当該プログラムの実行に必要なパラメーターやファイル等を記憶している。
【００２９】
ＲＡＭ１６は、ＣＰＵ１１により実行制御される各種処理において、ＲＯＭ１５から読み出された各種プログラム、入力若しくは出力データ、及びパラメーター等を一時的に格納するワークエリアを形成する。
【００３０】
記憶部１７は、ハードディスクや半導体の不揮発性メモリー等により構成される。
例えば、記憶部１７には、複数の項目の患者関連情報が記憶される。患者関連情報として、患者個人情報（患者ＩＤ、患者氏名、生年月日、年齢、性別、患者写真等）、来院情報（受付番号、受付時間等）、患者コメント、患者を撮影して得られた医用画像の画像データ、各医用画像に対応する画像付帯情報、患者に対する最新検査の進捗状態を示すステータス情報等が挙げられる。
【００３１】
複数の項目のそれぞれは、複数の種別に分類されている。ここでは、複数の項目のそれぞれは、第１種別、第２種別、第３種別に分類されている。
第１種別には、テキスト情報、アイコン、ボタン等で表される患者関連情報が含まれる。
第２種別には、複数の状態のいずれかを示すステータス情報が含まれる。医療分野では、多職種間で業務を連携するため、時系列に沿って状態が切り替わるステータス情報を扱うことが多い。
第３種別には、患者を撮影して得られた医用画像、画像付帯情報が含まれる。
【００３２】
また、記憶部１７には、グループ情報が記憶されている。
グループ情報は、第１種別に属する複数の項目同士が予めグループとして設定されていることを示す情報である。また、グループ情報には、複数のグループに対して、予め設定されている優先順位を示す情報が含まれる。グループ情報は、医療情報管理システム１００を利用するユーザー毎に管理されており、例えば、ユーザーＩＤとグループ情報とが対応付けられて記憶部１７に記憶されている。
【００３３】
データ管理サーバー１０は、クライアント装置２０からの取得要求に応じて、患者関連情報、グループ情報等を記憶部１７から読み出してクライアント装置２０に送信する。
【００３４】
クライアント装置２０は、データ管理サーバー１０に蓄積記憶されている患者関連情報を取得して表示するコンピューター装置である。
【００３５】
クライアント装置２０は、ＣＰＵ２１、操作部２２、表示部２３、通信部２４、ＲＯＭ２５、ＲＡＭ２６、記憶部２７等を備えて構成され、各部はバス２８により接続されている。
【００３６】
ＣＰＵ２１は、クライアント装置２０の各部の処理動作を統括的に制御する。具体的には、ＣＰＵ２１は、操作部２２から入力される操作信号又は通信部２４により受信される指示信号に応じて、ＲＯＭ２５に記憶されている各種処理プログラムを読み出してＲＡＭ２６に展開し、当該プログラムとの協働により各種処理を行う。
【００３７】
操作部２２は、カーソルキー、文字入力キー、及び各種機能キー等を備えたキーボードと、マウス等のポインティングデバイスを備えて構成され、キーボードに対するキー操作やマウス操作により入力された指示信号をＣＰＵ２１に出力する。操作部２２は、ユーザーによる操作入力を受け付ける。操作部２２は、表示部２３を覆うように形成されたタッチパネルを含む構成であってもよい。
【００３８】
表示部２３は、ＬＣＤ等のモニターにより構成され、ＣＰＵ２１から入力される表示信号の指示に従って、各種画面や医用画像等を表示する。
【００３９】
通信部２４は、ネットワークインターフェース等により構成され、通信ネットワークＮを介して接続された外部機器との間でデータの送受信を行う。
【００４０】
ＲＯＭ２５は、不揮発性の半導体メモリー等により構成され、制御プログラム、当該プログラムの実行に必要なパラメーターやファイル等を記憶している。
【００４１】
ＲＡＭ２６は、ＣＰＵ２１により実行制御される各種処理において、ＲＯＭ２５から読み出された各種プログラム、入力若しくは出力データ、及びパラメーター等を一時的に格納するワークエリアを形成する。
【００４２】
記憶部２７は、ハードディスクや半導体の不揮発性メモリー等により構成される。
【００４３】
ＣＰＵ２１は、データ管理サーバー１０から複数の患者分の患者関連情報を取得し、患者関連情報をリスト形式で配置したリスト画面を表示部２３に表示させる。ＣＰＵ２１は、個々の患者を１レコードとして、複数の項目の患者関連情報を表示枠内に表示させる。
【００４４】
図２に、表示部２３に表示されるリスト画面２３１の例を示す。
リスト画面２３１は、項目名が表示される項目欄３０と、患者数分の表示枠３１〜３４と、で構成される。また、リスト画面２３１は、第１種別に分類される項目が表示されるテキスト領域４１、第２種別に分類される項目が表示されるステータス領域４２、第３種別に分類される項目が表示される画像領域４３を有する。
【００４５】
テキスト領域４１には、受付番号（受付順に発番された番号）、コメント有無（患者コメントの更新有無）、待ち時間（受付した時間からの経過時間）、受付時間（受付した時間）、患者写真（患者写真又はアイコン）、性別（患者の性別）、患者ＩＤ（患者固有のＩＤ番号）、年齢（患者の年齢）、生年月日（患者の生年月日）、患者氏名（漢字、カナ）等が表示される。
【００４６】
コメント有無として、患者コメントの更新がある場合には、アイコン５１が表示される。なお、アイコン５１は、押下することでコメントの内容の表示を指示するためのボタンを兼ねている。
待ち時間として、待ち時間を示す数値を含み、視覚的に待ち時間の長さを示すアイコン５２が表示される。
【００４７】
ステータス領域４２には、ステータス情報が表示される。
【００４８】
画像領域４３には、医用画像のサムネイル画像と、画像付帯情報と、が表示される。ここでは、画像付帯情報として、未読画像数（撮影済みであるが、未読の画像の数）と未撮影画像数（オーダー数）が表示されている。
【００４９】
ＣＰＵ２１は、表示枠の幅を認識する。すなわち、ＣＰＵ２１は、認識手段として機能する。表示枠の幅は、表示画面内における表示枠の横方向の長さである。表示枠の幅は、ピクセル数で表されてもよいし、ｍｍ、ｉｎｃｈ等の長さの単位で表されてもよい。ただし、表示枠の幅は、統一された単位で比較される。
例えば、新規にリスト画面を表示する場合、ＣＰＵ２１は、表示部２３のディスプレイの解像度（ピクセル）や初期表示範囲等に基づいて、ディスプレイ上のリスト画面の表示位置を決定し、表示枠の幅（ピクセル）を算出する。初期表示範囲は、新規にリスト画面が表示される際の範囲を示す情報であり、予め定められている。初期表示範囲は、８０％等、ディスプレイに対する幅方向の長さの割合で定められていてもよいし、又は、端から何ピクセルから何ピクセルまでと定められていてもよい。
また、既に表示されているリスト画面の幅を変更する場合、ＣＰＵ２１は、操作部２２からの操作によって変更された表示枠の幅方向の両端部の位置（座標）を検出し、表示枠の幅を認識する。
【００５０】
ＣＰＵ２１は、表示枠の幅に応じて、種別毎に、当該種別に属する各項目の表示態様を決定する。すなわち、ＣＰＵ２１は、決定手段として機能する。
【００５１】
図３（ａ）及び（ｂ）に、リスト画面内の患者一人分の表示枠を示す。表示枠の幅の変更に伴う各項目の表示態様の変え方が、テキスト領域４１、ステータス領域４２、画像領域４３の領域毎に異なる。図３（ａ）は、比較的表示枠の幅が大きい場合の表示態様であり、図３（ｂ）は、比較的表示枠の幅が小さい場合の表示態様である。
【００５２】
ＣＰＵ２１は、第１種別について、表示枠の幅に応じて、患者関連情報のレイアウトを単数段表示と複数段表示とで切り替える。ＣＰＵ２１は、表示枠の幅が所定の幅より小さくなった場合に、第１種別に含まれる項目のうち、同一グループの項目同士を単数段表示から複数段表示に切り替える。
【００５３】
図４（ａ）に、テキスト領域４１内の各項目が１段で表示されている例を示す。
テキスト領域４１には、受付番号４１ａ、コメント有無４１ｂ、待ち時間４１ｃ、受付時間４１ｄ、患者写真４１ｅ、性別４１ｆ、患者ＩＤ４１ｇ、年齢４１ｈ、生年月日４１ｉ、患者氏名（漢字）４１ｊ、患者氏名（カナ）４１ｋが表示されている。
受付番号４１ａ及びコメント有無４１ｂは、グループＧ１として設定されている。待ち時間４１ｃ及び受付時間４１ｄは、グループＧ２として設定されている。患者写真４１ｅ及び性別４１ｆは、グループＧ３として設定されている。患者ＩＤ４１ｇ、年齢４１ｈ及び生年月日４１ｉは、グループＧ４として設定されている。患者氏名（漢字）４１ｊ及び患者氏名（カナ）４１ｋは、グループＧ５として設定されている。
【００５４】
表示枠の幅が小さくなると、図４（ｂ）に示すように、グループＧ１に含まれる受付番号４１ａ及びコメント有無４１ｂは、２段で表示されるようになる。グループＧ２〜Ｇ５についても、同様である。２段表示では、１段表示の場合と比較して、文字やアイコンをより小さくすることとしてもよい。
各項目の表示態様が切り替わる順序は、ログインユーザーのユーザーＩＤに対応するグループ情報において予め設定されているグループ毎の優先順位に従う。なお、端から順に各項目の表示態様を切り替える等のルールが決められていてもよい。
【００５５】
逆に、図４（ｂ）に示す状態から表示枠の幅が大きくなると、図４（ａ）に示すように、同一グループ内で２段に表示されていた複数の項目が１段で表示されるようになる。
【００５６】
ＣＰＵ２１は、第２種別について、表示枠の幅に応じて、患者関連情報の表示態様を、ステータス情報が示す状態に対応するアイコン表示と、ステータス情報が示す状態が時系列順で何番目かを示す表示と、で切り替える。
【００５７】
図５に、ステータス情報が示す状態（未撮影、未読、読影中、保留、完了）に対応する大アイコン及び小アイコンを示す。
「未撮影」は、システムがオーダー情報を受け取った状態である。「未読」は、画像が撮影され、画像が保存された状態である。「読影中」は、医用画像のビューアー画面が表示されている状態である。「保留」は、ユーザーが保留を指示した状態である。「完了」は、ユーザーが完了を指示した状態である。
【００５８】
大アイコンは、ステータス情報が示す状態をデザイン化したものであり、小アイコンと比較して横幅が大きい。小アイコンは、ステータス情報が示す状態が時系列順で何番目かを示したものである。ここでは、小アイコンは、縦方向に５個の四角形が並べられており、５段階ある状態のうち何番目の状態であるかを、該当する四角形の色やパターンを変えることで示している。小アイコンにおいて、何番目の状態であるかを示す四角形を、対応する大アイコンと同じ色で表してもよい。
表示枠の幅が所定の閾値以上の場合には、ステータス情報を大アイコンで表し、表示枠の幅が所定の閾値未満の場合には、ステータス情報を小アイコンで表す。
【００５９】
ＣＰＵ２１は、第３種別について、表示枠の幅に応じて、医用画像の表示数や、医用画像の種類を変更する。医用画像の種類として、例えば、未読画像、検査日毎の最新画像等が挙げられる。また、ＣＰＵ２１は、表示枠の幅に応じて、画像付帯情報の詳細度を変更する。
【００６０】
図６（ａ）に、画像領域４３内の各項目の表示例を示す。画像領域４３には、未撮影画像アイコン４３ａ，４３ｂ、サムネイル画像４３ｃ，４３ｄ，４３ｅ、未読画像数４３ｆ、未読画像の説明文４３ｇ、未撮影画像数４３ｈ、未撮影画像の説明文４３ｉが表示されている。
未撮影画像アイコン４３ａ，４３ｂは、未撮影画像を表すアイコンである。ここでは、未撮影画像アイコン４３ａ，４３ｂの数も、医用画像の表示数に含まれている。
サムネイル画像４３ｃ，４３ｄ，４３ｅは、撮影済みの医用画像のサムネイル画像である。画像領域４３内の画像部分（未撮影画像アイコン４３ａ，４３ｂ、サムネイル画像４３ｃ，４３ｄ，４３ｅ）をスライド操作することで、より過去の画像を表示することができる。
マークＭは、未読画像を表すマークである。
画像領域４３内に記載されている日付は、撮影日又はオーダーが発行された日付である。
【００６１】
図６（ａ）に示す状態から表示枠の幅が小さくなると、医用画像の表示数は１ずつ減少していく。また、表示枠の幅が所定の幅より小さくなった場合に、画像付帯情報の説明文が非表示となる。
【００６２】
図６（ｂ）〜（ｄ）に、画像の表示数が「２」となった場合の画像領域４３の表示例を示す。図６（ｂ）〜（ｄ）のいずれの方法で、画像領域４３内の各項目を表示するかは、ユーザー毎に予め設定されている。この設定情報は、データ管理サーバー１０又はクライアント装置２０において、ユーザーＩＤと対応付けられて記憶されている。
【００６３】
図６（ｂ）は、最新画像を時系列順に表示する場合の例である。ここでは、未撮影画像アイコン４３ａ，４３ｂが表示されている。また、画像付帯情報としては、未読画像数４３ｆと未撮影画像数４３ｈのみが表示され、未読画像の説明文４３ｇと未撮影画像の説明文４３ｉは非表示となっている。
図６（ｃ）は、検査日毎に最新１画像のみを時系列順に表示する場合の例である。ここでは、２０１６年１１月２０日の全５画像のうち未撮影画像アイコン４３ａと、２０１６年１０月１日の全３画像のうちサムネイル画像４３ｊが表示されている。また、検査日毎の画像数が表示されている。
図６（ｄ）は、未読画像のみを時系列順に表示する場合の例である。ここでは、マークＭが付加されたサムネイル画像４３ｃ，４３ｄが表示されている。
【００６４】
また、表示枠の幅が小さくなった場合に、図６（ｅ）に示すように、未撮影画像アイコン４３ａ，４３ｂと未読画像のサムネイル画像４３ｃ，４３ｄ，４３ｅを２段に分けて表示することとしてもよい。
【００６５】
ＣＰＵ２１は、表示枠の幅の変更に応じて、各項目の表示態様を変えた場合であっても、表示枠の高さを維持する。表示枠の高さは、表示画面内における表示枠の上下方向の長さである。つまり、リスト画面内で表示される件数は変わらない。
【００６６】
ＣＰＵ２１は、複数の種別に対して予め設定されている優先順位に従って、各項目の表示態様を決定する。例えば、表示枠の幅を小さくしていく際に、ＣＰＵ２１は、縮小時の優先順位に従って、或る種別に属する各項目の表示態様を変えていき、当該種別の表示態様を変更し終わった後に、優先順位が次の種別に属する各項目の表示態様を変えていく。種別毎の優先順位は、ユーザー毎に予め設定されており、データ管理サーバー１０又はクライアント装置２０において、ユーザーＩＤと対応付けられて記憶されている。
【００６７】
ＣＰＵ２１は、決定された表示態様で患者関連情報を表示枠内に表示させる。すなわち、ＣＰＵ２１は、表示制御手段として機能する。
【００６８】
次に、第１の実施の形態における動作について説明する。
クライアント装置２０において各処理が実行される際には、操作部２２からの操作により、医療情報管理システム１００に対するログイン操作が行われる。具体的には、操作部２２からユーザーＩＤ及びパスワードが入力されると、入力された情報が通信部２４を介してデータ管理サーバー１０に送信される。データ管理サーバー１０では、ＣＰＵ１１が、予め登録されているユーザーＩＤ及びパスワードの組み合わせと一致するか否かを判断し、ユーザー認証を行う。
クライアント装置２０において患者関連情報を表示する際には、ＣＰＵ２１が、通信部２４を介して、データ管理サーバー１０から患者関連情報、クライアント装置２０のユーザーＩＤに対応するグループ情報を取得する。
【００６９】
図７は、クライアント装置２０により実行される画面幅縮小処理を示すフローチャートである。この処理は、表示部に２３に表示されているリスト画面に対して画面幅の縮小を指示する処理であり、ＣＰＵ２１とＲＯＭ２５に記憶されているプログラムとの協働によるソフトウェア処理によって実現される。
なお、ここでは、縮小時に表示態様を変更する種別毎の優先順位は、第１種別（テキスト領域４１）、第３種別（画像領域４３）、第２種別（ステータス領域４２）の順に設定されていることとする。
【００７０】
まず、ＣＰＵ２１は、ユーザーの操作部２２からの操作により、表示部に２３に表示されているリスト画面に対して、画面幅の縮小を指示する操作が行われたか否かを判断する（ステップＳ１）。具体的には、ＣＰＵ２１は、リスト画面（表示枠）の幅を認識し、操作後の画面幅が、リスト画面の各項目の表示態様を切り替える境界として予め設定されている閾値未満となったか否かを判断する。
【００７１】
画面幅の縮小を指示する操作が行われた場合には（ステップＳ１；ＹＥＳ）、ＣＰＵ２１は、テキスト領域４１においてグループ設定されている項目が全て２段表示となっているか否かを判断する（ステップＳ２）。具体的には、ＣＰＵ２１は、グループ情報に基づいて、同一グループの項目同士が２段表示となっているか否かを判断する。
【００７２】
テキスト領域４１においてグループ設定されている項目のうち、２段表示されていない項目がある場合には（ステップＳ２；ＮＯ）、ＣＰＵ２１は、テキスト領域４１におけるグループの優先順位に従って、グループ設定されている項目を１段表示から２段表示に変更する（ステップＳ３）。すなわち、ＣＰＵ２１は、リスト画面の幅が所定の閾値（或るグループに含まれる項目を１段表示から２段表示に切り替える境界値）未満の場合には、次に表示態様を変更すべきグループの項目同士を１段表示から２段表示に切り替えるよう、各項目の表示態様を決定し、決定された表示態様で患者関連情報を表示枠内に表示させる。
【００７３】
ステップＳ２で、テキスト領域４１においてグループ設定されている項目が全て２段表示となっている場合には（ステップＳ２；ＹＥＳ）、ＣＰＵ２１は、画像領域４３の説明文が表示されているか否かを判断する（ステップＳ４）。
【００７４】
画像領域４３の説明文が表示されている場合には（ステップＳ４；ＹＥＳ）、ＣＰＵ２１は、画像領域４３の説明文を非表示に変更する（ステップＳ５）。すなわち、ＣＰＵ２１は、リスト画面の幅が所定の閾値（画像領域４３の説明文を表示から非表示に切り替える境界値）未満の場合には、画像領域４３の説明文を非表示に変更するよう、画像付帯情報の表示態様を決定し、決定された表示態様で患者関連情報を表示枠内に表示させる。
【００７５】
ステップＳ４において、画像領域４３の説明文が表示されていない場合には（ステップＳ４；ＮＯ）、ＣＰＵ２１は、画像領域４３に表示されている画像数が最小数（例えば、２）であるか否かを判断する（ステップＳ６）。
【００７６】
画像領域４３に表示されている画像数が最小数より多い場合には（ステップＳ６；ＮＯ）、ＣＰＵ２１は、画像領域４３に表示されている画像数を減少させる（ステップＳ７）。すなわち、ＣＰＵ２１は、リスト画面の幅が所定の閾値（画像領域４３の画像数を切り替える境界値）未満の場合には、画像領域４３に表示されている画像数を減少させるよう、医用画像の表示態様を決定し、決定された表示態様で患者関連情報を表示枠内に表示させる。
ステップＳ３、ステップＳ５、ステップＳ７の後、ステップＳ１に戻り、処理を繰り返す。
【００７７】
ステップＳ６において、画像領域４３に表示されている画像数が最小数である場合には（ステップＳ６；ＹＥＳ）、ＣＰＵ２１は、ステータス領域４２が大アイコン表示であるか否かを判断する（ステップＳ８）。
【００７８】
ステータス領域４２が大アイコン表示である場合には（ステップＳ８；ＹＥＳ）、ＣＰＵ２１は、ステータス領域４２を小アイコン表示に変更する（ステップＳ９）。すなわち、ＣＰＵ２１は、リスト画面の幅が所定の閾値（大アイコンから小アイコンに切り替える境界値）未満の場合には、ステータス領域４２に表示されている大アイコンを小アイコンに変更するよう、ステータス情報の表示態様を決定し、決定された表示態様で患者関連情報を表示枠内に表示させる。
【００７９】
ステップＳ８において、ステータス領域４２が大アイコン表示でない場合（ステップＳ８；ＮＯ）、又は、ステップＳ９の後、画面幅縮小処理が終了する。
【００８０】
リスト画面（表示枠）の幅をさらに縮小する場合には、予め設定されている項目毎の優先順位に従って、項目を順に非表示としていく。この優先順位は、ユーザー毎に設定可能とする。
【００８１】
また、表示部２３として、解像度が比較的低いディスプレイを使用する場合においても、画面のサイズ（幅）に基づいて、画面幅縮小処理と同様の処理によって、患者関連情報の表示態様を決定することができる。
【００８２】
図８は、クライアント装置２０により実行される画面幅拡大処理を示すフローチャートである。この処理は、表示部に２３に表示されているリスト画面に対して画面幅の拡大を指示する処理であり、ＣＰＵ２１とＲＯＭ２５に記憶されているプログラムとの協働によるソフトウェア処理によって実現される。
なお、ここでは、拡大時に表示態様を変更する種別毎の優先順位は、第２種別（ステータス領域４２）、第３種別（画像領域４３）、第１種別（テキスト領域４１）の順に設定されていることとする。
【００８３】
まず、ＣＰＵ２１は、ユーザーの操作部２２からの操作により、表示部に２３に表示されているリスト画面に対して、画面幅の拡大を指示する操作が行われたか否かを判断する（ステップＳ１１）。具体的には、ＣＰＵ２１は、リスト画面（表示枠）の幅を認識し、操作後の画面幅が、リスト画面の各項目の表示態様を切り替える境界として予め設定されている閾値以上となったか否かを判断する。
【００８４】
画面幅の拡大を指示する操作が行われた場合には（ステップＳ１１；ＹＥＳ）、ＣＰＵ２１は、ステータス領域４２が小アイコン表示であるか否かを判断する（ステップＳ１２）。
【００８５】
ステータス領域４２が小アイコン表示である場合には（ステップＳ１２；ＹＥＳ）、ＣＰＵ２１は、ステータス領域４２を大アイコン表示に変更する（ステップＳ１３）。すなわち、ＣＰＵ２１は、リスト画面の幅が所定の閾値（小アイコンから大アイコンに切り替える境界値）以上の場合には、ステータス領域４２に表示されている小アイコンを大アイコンに変更するよう、ステータス情報の表示態様を決定し、決定された表示態様で患者関連情報を表示枠内に表示させる。
【００８６】
ステップＳ１２において、ステータス領域４２が小アイコン表示でない場合には（ステップＳ１２；ＮＯ）、ＣＰＵ２１は、画像領域４３に表示されている画像数が最大数（例えば、５）であるか否かを判断する（ステップＳ１４）。
【００８７】
画像領域４３に表示されている画像数が最大数より少ない場合には（ステップＳ１４；ＮＯ）、ＣＰＵ２１は、画像領域４３に表示されている画像数を増加させる（ステップＳ１５）。すなわち、ＣＰＵ２１は、リスト画面の幅が所定の閾値（画像領域４３の画像数を切り替える境界値）以上の場合には、画像領域４３に表示されている画像数を増加させるよう、医用画像の表示態様を決定し、決定された表示態様で患者関連情報を表示枠内に表示させる。
【００８８】
ステップＳ１４において、画像領域４３に表示されている画像数が最大数である場合には（ステップＳ１４；ＹＥＳ）、ＣＰＵ２１は、画像領域４３の説明文が表示されているか否かを判断する（ステップＳ１６）。
【００８９】
画像領域４３の説明文が表示されていない場合には（ステップＳ１６；ＮＯ）、ＣＰＵ２１は、画像領域４３の説明文を表示させる（ステップＳ１７）。すなわち、ＣＰＵ２１は、リスト画面の幅が所定の閾値（画像領域４３の説明文を非表示から表示に切り替える境界値）以上の場合には、画像領域４３の説明文を表示するよう、画像付帯情報の表示態様を決定し、決定された表示態様で患者関連情報を表示枠内に表示させる。
【００９０】
ステップＳ１６において、画像領域４３の説明文が表示されている場合には（ステップＳ１６；ＹＥＳ）、ＣＰＵ２１は、テキスト領域４１においてグループ設定されている項目が全て１段表示となっているか否かを判断する（ステップＳ１８）。具体的には、ＣＰＵ２１は、グループ情報に基づいて、同一グループの項目同士が１段表示となっているか否かを判断する。
【００９１】
テキスト領域４１においてグループ設定されている項目のうち、１段表示されていない項目がある場合には（ステップＳ１８；ＮＯ）、ＣＰＵ２１は、テキスト領域４１におけるグループの優先順位に従って、グループ設定されている項目を２段表示から１段表示に変更する（ステップＳ１９）。すなわち、ＣＰＵ２１は、リスト画面の幅が所定の閾値（或るグループに含まれる項目を２段表示から１段表示に切り替える境界値）以上の場合には、次に表示態様を変更すべきグループの項目同士を２段表示から１段表示に切り替えるよう、各項目の表示態様を決定し、決定された表示態様で患者関連情報を表示枠内に表示させる。
【００９２】
ステップＳ１９の後、ＣＰＵ２１は、再度、テキスト領域４１においてグループ設定されている項目が全て１段表示となっているか否かを判断する（ステップＳ２０）。
【００９３】
ステップＳ１３、ステップＳ１５、ステップＳ１７の後、又は、ステップＳ２０で、テキスト領域４１においてグループ設定されている項目のうち、１段表示されていない項目がある場合には（ステップＳ２０；ＮＯ）、ステップＳ１１に戻り、処理を繰り返す。
【００９４】
ステップＳ１８又はステップＳ２０で、テキスト領域４１においてグループ設定されている項目が全て１段表示となっている場合には（ステップＳ１８；ＹＥＳ、ステップＳ２０；ＹＥＳ）、画面幅拡大処理が終了する。
【００９５】
また、表示部２３として、解像度が比較的高いディスプレイを使用する場合においても、画面のサイズ（幅）に基づいて、画面幅拡大処理と同様の処理によって、患者関連情報の表示態様を決定することができる。
【００９６】
以上説明したように、第１の実施の形態によれば、種別毎に、当該種別に属する各項目の表示態様を決定し、決定された表示態様で患者関連情報を表示枠内に表示させるので、患者に関する患者関連情報が表示される表示枠の幅が変更されても、情報量をできるだけ維持しつつ、ユーザーに適した表示を提供することができる。
【００９７】
例えば、第１種別については、表示枠の幅に応じて、患者関連情報のレイアウトを単数段表示と複数段表示とで切り替えるので、情報量を減らすことなく、各項目の表示態様を変えることができる。具体的には、表示枠の幅が所定の幅より小さくなった場合に、第１種別に属する項目のうち、同一グループの項目同士を単数段表示から複数段表示に切り替えることができる。
【００９８】
また、第２種別については、表示枠の幅に応じて、ステータス情報の表示態様を大アイコン表示と小アイコン表示とで切り替えるので、情報量を減らすことなく、ユーザーに適した表示を提供することができる。
【００９９】
また、第３種別については、表示枠の幅に応じて、医用画像の表示数又は医用画像の種類を変更するので、ユーザーに適した表示を提供することができる。また、表示枠の幅に応じて、画像付帯情報の詳細度を変更するので、表示枠の幅に余裕がない場合には、画像付帯情報の詳細な表示を省略することができる。
【０１００】
また、リスト画面内の各表示枠の高さを維持することで、リスト画面に表示される件数（患者数）を一定に保つことができる。
【０１０１】
また、複数の種別に対して設定されている優先順位に従って、各項目の表示態様を決定するので、表示枠の幅の変更に応じて、種別毎に、順に各項目の表示態様を切り替えることができる。
【０１０２】
［第２の実施の形態］
次に、本発明を適用した第２の実施の形態について説明する。
第２の実施の形態における医療情報管理システムは、第１の実施の形態に示した医療情報管理システム１００と同様の構成によってなるため、図１を援用して、その構成については図示及び説明を省略する。以下、第２の実施の形態に特徴的な構成及び処理について説明する。
【０１０３】
データ管理サーバー１０の記憶部１７には、レイアウト情報が記憶されている。
レイアウト情報は、クライアント装置２０において、患者関連情報を表示する際の各項目の配置を示す情報である。レイアウト情報は、医療情報管理システム１００を利用するユーザー毎に管理されており、例えば、ユーザーＩＤとレイアウト情報とが対応付けられて記憶部１７に記憶されている。レイアウト情報は、一つのユーザーＩＤに対して複数登録することができる。
【０１０４】
クライアント装置２０のＣＰＵ２１は、ログインユーザーのユーザーＩＤに対応するレイアウト情報をデータ管理サーバー１０から取得する。ＣＰＵ２１は、ユーザーによる操作入力に応じて、予め設定されているレイアウト情報（データ管理サーバー１０から取得したレイアウト情報）に基づいて、各項目の表示態様を決定する。ＣＰＵ２１は、このレイアウト情報に従って、表示部２３に患者関連情報を表示させる。
【０１０５】
図９に、クライアント装置２０の表示部２３に表示されるリスト画面２３２の例を示す。リスト画面２３２の上部には、レイアウトを変更するためのボタンＢ１〜Ｂ３が配置されている。
【０１０６】
ユーザーによる操作部２２からの操作により、リスト画面２３２のボタンＢ１が押下されると、ＣＰＵ２１は、「レイアウト１」に対応するレイアウト情報に基づいて、図１０に示すリスト画面２３３を表示部２３に表示させる。「レイアウト１」は、ユーザーが希望する項目を重点的に表示するレイアウトの例である。リスト画面２３３では、表示対象が患者氏名、医用画像、画像付帯情報に限定されており、医用画像のサムネイル画像を数多く表示可能となっている。ユーザーは、多くの過去画像を表示したい場合に、「レイアウト１」を選択する。
【０１０７】
一方、ユーザーによる操作部２２からの操作により、リスト画面２３２のボタンＢ２が押下されると、ＣＰＵ２１は、「レイアウト２」に対応するレイアウト情報に基づいて、図１１に示すリスト画面２３４を表示部２３に表示させる。「レイアウト２」は、ユーザーが希望する幅で患者関連情報を表示するレイアウトの例である。リスト画面２３４は、リストエリア２３４ａ、患者詳細情報エリア２３４ｂを含む。患者詳細情報エリア２３４ｂには、リストエリア２３４ａにおいて選択された患者の詳細情報が表示される。リストエリア２３４ａの幅と患者詳細情報エリア２３４ｂの幅の割合が異なる複数のレイアウト情報が用意されていてもよい。
【０１０８】
以上説明したように、第２の実施の形態によれば、第１の実施の形態と同様の効果に加え、レイアウト情報を予め設定しておくことで、ユーザーによる操作入力に応じて、レイアウト情報に基づく各項目の表示態様に切り替えることができる。
【０１０９】
なお、上記各実施の形態における記述は、本発明に係る情報表示装置の例であり、これに限定されるものではない。装置を構成する各部の細部構成及び細部動作に関しても本発明の趣旨を逸脱することのない範囲で適宜変更可能である。
【０１１０】
例えば、上記各実施の形態では、リスト画面において、同一種別に属する複数の項目が繋がった領域（テキスト領域４１、ステータス領域４２、画像領域４３）内に含まれている場合を例示したが、同一種別に属する複数の項目が互いに離れた複数の領域に分かれて表示されることとしてもよい。
【０１１１】
また、上記各実施の形態において、リスト画面に表示される項目として示した患者関連情報は一例であり、これに限定されるものではない。
また、項目の分類方法（種別）についても、上記の例に限定されない。
【０１１２】
また、上記各実施の形態では、情報表示装置としてのクライアント装置２０が、データ管理サーバー１０に記憶されている患者関連情報を利用するクライアントサーバーモデルの構成を示したが、１台のコンピューター装置がクライアント装置２０とデータ管理サーバー１０の機能を備える構成であってもよい。
【０１１３】
以上の説明では、各処理を実行するためのプログラムを格納したコンピューター読み取り可能な媒体としてＲＯＭを使用した例を開示したが、この例に限定されない。その他のコンピューター読み取り可能な媒体として、フラッシュメモリー等の不揮発性メモリー、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１１４】
１０  データ管理サーバー
１１  ＣＰＵ
１４  通信部
１７  記憶部
２０  クライアント装置
２１  ＣＰＵ
２２  操作部
２３  表示部
２４  通信部
２５  ＲＯＭ
２７  記憶部
４１  テキスト領域
４２  ステータス領域
４３  画像領域
１００  医療情報管理システム
２３１  リスト画面
２３２  リスト画面
２３３  リスト画面
２３４  リスト画面
Ｎ  通信ネットワーク
【図１】
2018092419.tif 000003
【図２】
2018092419.tif 000004
【図３】
2018092419.tif 000005
【図４】
2018092419.tif 000006
【図５】
2018092419.tif 000007
【図６】
2018092419.tif 000008
【図７】
2018092419.tif 000009
【図８】
2018092419.tif 000010
【図９】
2018092419.tif 000011
【図１０】
2018092419.tif 000012
【図１１】
2018092419.tif 000013